(57)【要約】      （修正有）【課題】手描きの絵を用いたオリジナルの絵本を作製することができる絵本作製システム及び絵本の製造方法を提供する。【解決手段】絵本作製システムにおいて、絵本編集装置１は、絵本の背景画像、キャラクター又は物品の基準画像及びキャラクター又は物品の背景画像内での位置を示す位置情報を含むテンプレートデータを格納する記憶部と、キャラクター又は物品に対応する手描き画像を取得する手描き画像取得部及び手書き画像に対応するキャラクター又は物品の位置情報に基づいて、手描き画像と背景画像とを合成し、絵本データを生成する合成部を有する制御部と、を備える。【選択図】図８
2020144598.tif 000002
【特許請求の範囲】
【請求項１】
絵本の背景画像、キャラクター又は物品の基準画像、及び前記キャラクター又は物品の前記背景画像内での位置を示す位置情報を含むテンプレートデータを格納する記憶部と、
前記キャラクター又は物品に対応する手描き画像を取得する手描き画像取得部と、
前記手書き画像に対応するキャラクター又は物品の前記位置情報に基づいて、前記手描き画像と前記背景画像とを合成し、絵本データを生成する合成部と、
を備える絵本作製システム。
【請求項２】
前記テンプレートデータは、複数種のキャラクター又は物品の基準画像を含み、
前記合成部は、前記手描き画像取得部が手描き画像を取得しないキャラクター又は物品に対応する基準画像を前記背景画像に合成して前記絵本データを生成することを特徴とする請求項１に記載の絵本作製システム。
【請求項３】
前記記憶部は、複数の絵本のテンプレートデータを格納し、
ユーザ端末から絵本の選択を受け付け、選択された絵本のテンプレートデータに基準画像が含まれている複数種のキャラクター又は物品の情報を前記ユーザ端末に通知することを特徴とする請求項２に記載の絵本作製システム。
【請求項４】
前記ユーザ端末から手描き絵の種別情報を受信し、前記複数の絵本の中から、前記種別情報に対応するキャラクター又は物品を含む絵本を検索する検索処理部をさらに備えることを特徴とする請求項３に記載の絵本作製システム。
【請求項５】
絵本の背景画像、キャラクター又は物品の基準画像、及び前記キャラクター又は物品の前記背景画像内での位置を示す位置情報を含むテンプレートデータを用いて絵本を製造する方法であって、
前記キャラクター又は物品に対応する手描き画像を取得する工程と、
前記手書き画像に対応するキャラクター又は物品の前記位置情報に基づいて、前記手描き画像と前記背景画像とを合成し、合成画像を生成する工程と、
前記合成画像を用紙に印刷する工程と、
前記合成画像が印刷された用紙を綴じて製本する工程と、
を備える絵本の製造方法。
【発明の詳細な説明】
【技術分野】
【０００１】
本発明は、絵本作製システム及び絵本の製造方法に関する。
【背景技術】
【０００２】
デジタルカメラやスマートフォン等で撮影した画像を、ネットワーク上にアップロードして保存することが行われている。また、アップロードした画像をプリントして、フォトブックやポスター等の印画物を作製するサービスが知られている。また、近年、アップロードした画像を用いてオリジナルの絵本を作製するサービスが注目されている。
【０００３】
例えば、特許文献１には、絵本風のテンプレートを用意し、絵本の世界観に合わせたレイアウトで絵本風のフォトブックを作製する手法が開示されている。また、特許文献２には、顔写真画像を絵画調に画像変換し、変換後の顔画像を絵本の登場人物の顔に嵌め込んで絵本を作製する手法が開示されている。
【０００４】
このように、従来は、人物を撮影した画像をテンプレートの所定領域に嵌め込んで絵本を作製していた。しかし、ユーザの手描きの絵を用いた絵本の作製は行われていなかった。例えば、子供が描いた絵は、想像力が豊かであり、後で見たときにも楽しめるため、保存を望むことが多い。しかし、単に画用紙等に描いた絵は、劣化しやすく、保存が困難である。手描きの絵を取り込んで絵本の形にすることで、劣化を防止して長期間保存でき、また子供の成長の記録にもなる。そのため、手描きの絵を用いたオリジナル絵本の作製サービスが望まれている。
【先行技術文献】
【特許文献】
【０００５】
【特許文献１】特許第６４０２５１５号公報
【特許文献２】実用新案登録第３１７６４８０号公報
【発明の概要】
【発明が解決しようとする課題】
【０００６】
本発明は、手描きの絵を用いたオリジナルの絵本を作製できる絵本作製システム及び絵本の製造方法を提供することを課題とする。
【課題を解決するための手段】
【０００７】
本発明の絵本作製システムは、絵本の背景画像、キャラクター又は物品の基準画像、及び前記キャラクター又は物品の前記背景画像内での位置を示す位置情報を含むテンプレートデータを格納する記憶部と、前記キャラクター又は物品に対応する手描き画像を取得する手描き画像取得部と、前記手書き画像に対応するキャラクター又は物品の前記位置情報に基づいて、前記手描き画像と前記背景画像とを合成し、絵本データを生成する合成部と、を備えるものである。
【０００８】
本発明の一態様では、前記テンプレートデータは、複数種のキャラクター又は物品の基準画像を含み、前記合成部は、前記手描き画像取得部が手描き画像を取得しないキャラクター又は物品に対応する基準画像を前記背景画像に合成して前記絵本データを生成する。
【０００９】
本発明の一態様では、前記記憶部は、複数の絵本のテンプレートデータを格納し、ユーザ端末から絵本の選択を受け付け、選択された絵本のテンプレートデータに基準画像が含まれている複数種のキャラクター又は物品の情報を前記ユーザ端末に通知する。
【００１０】
本発明の一態様では、前記ユーザ端末から手描き絵の種別情報を受信し、前記複数の絵本の中から、前記種別情報に対応するキャラクター又は物品を含む絵本を検索する検索処理部をさらに備える。
【００１１】
本発明の絵本の製造方法は、絵本の背景画像、キャラクター又は物品の基準画像、及び前記キャラクター又は物品の前記背景画像内での位置を示す位置情報を含むテンプレートデータを用いて絵本を製造する方法であって、前記キャラクター又は物品に対応する手描き画像を取得する工程と、前記手書き画像に対応するキャラクター又は物品の前記位置情報に基づいて、前記手描き画像と前記背景画像とを合成し、合成画像を生成する工程と、前記合成画像を用紙に印刷する工程と、前記合成画像が印刷された用紙を綴じて製本する工程と、を備えるものである。
【発明の効果】
【００１２】
本発明によれば、手描きの絵を用いたオリジナルの絵本を作製できる。
【図面の簡単な説明】
【００１３】
【図１】本発明の実施形態に係る絵本作製システムの概略図である。
【図２】作品選択画面の例を示す図である。
【図３】作品検索画面の例を図である。
【図４】画像登録画面の例を図である。
【図５】背景画像の例を示す図である。
【図６】手描き画像の合成例を示す図である。
【図７】デフォルト画像の合成例を示す図である。
【図８】絵本編集装置の構成及び機能ブロックを示す図である。
【図９】同実施形態に係る絵本製造方法を説明するフローチャートである。
【発明を実施するための形態】
【００１４】
以下、図面を参照して実施の形態について説明する。
【００１５】
図１に示すように、本発明の実施形態に係る絵本作製システムは、絵本編集装置１と、工場３に設置されたプリンタ及び製本機（図示略）とを備え、絵本のテンプレートとユーザの手描きの絵とを組み合わせて絵本を作製するものである。絵本編集装置１は、インターネット等の通信ネットワークを介して、ユーザ端末２と通信可能となっている。
【００１６】
ユーザ端末２は、スマートフォン、タブレット端末、ＰＣ等である。ユーザＵは、ユーザ端末２を操作して絵本編集装置１が提供するウェブサイトにアクセスし、複数の絵本作品の中から、気に入った絵本作品を選択する。例えば、図２に示すような作品選択画面がユーザ端末２に表示される。各絵本作品には、手描きの絵を使用可能なキャラクターや物品が設定されている。キャラクターは、人物や動物等である。物品は、食べ物や乗り物等である。例えば、図２に示すように、「お姫様と不思議なシチュー」という作品では、お姫様、魔法使い、大鍋のシチューについて、手描きの絵が使用できるようになっている。
【００１７】
作品選択画面で詳細確認ボタンＢ２を押すと、作品の中身のページのイメージや、詳細なストーリーが確認できる詳細確認画面が表示される。
【００１８】
例えば、ユーザＵは、気に入った作品に必要な絵を確認し、絵を描くよう子供Ｃを促す。
【００１９】
子供Ｃがよく描く絵や事前に描いた絵から、絵本作品を選択できるようにしてもよい。例えば、図３に示すような作品検索画面で子供Ｃが描く絵の種別を選択し、検索ボタンＢ３を押す。絵本編集装置１は、選択された種別の手描き絵が使用可能な絵本作品を検索し、検索結果をユーザ端末２へ送信する。これにより、子供が描きたい絵に沿った絵本作品を簡単に見つけることができる。
【００２０】
図２に示す作品選択画面でユーザＵが注文ボタンＢ１を押すと、ユーザ端末２には、図４に示すような画像登録画面が表示される。画像アップロードボタンＢ４を押すと、ユーザ端末２の内蔵カメラが起動する。子供Ｃが用紙５（図１参照）に描いた絵をユーザ端末２のカメラで撮影すると、ユーザ端末２は、手描き画像（手描きの絵の撮影画像）を絵本編集装置１へ送信する。用紙５に描いた絵をユーザ端末２のカメラで予め撮影しておき、画像アップロードボタンＢ４を押した後、ユーザ端末２に保存されている画像を選択して絵本編集装置１へアップロードしてもよい。
【００２１】
予め準備された下絵にユーザ側で絵を描き加えてもよい。例えば、図４に示す例では、大鍋のシチューについて、大鍋の下絵が準備されている。ユーザＵは、ダウンロードボタンＢ５を押して下絵のデータをダウンロードし、プリント出力する。子供Ｃは、プリント出力された大鍋の絵に、具材を描き加える。具材を描き加えた絵を、ユーザ端末２のカメラで撮影し、手描き画像として絵本編集装置１へ送信する。
【００２２】
下絵は、塗り絵用の線画であってもよい。ユーザＵは、ダウンロードボタンＢ５を押して塗り絵用の線画データをダウンロードし、プリント出力する。子供Ｃは、プリント出力された線画に、絵の具、クレヨン、色鉛筆等で着色する。着色された塗り絵をユーザ端末２のカメラで撮影し、手描き画像として絵本編集装置１へ送信する。
【００２３】
１つの絵本作品に、使用可能な手描き絵としてキャラクターや物品（以下、「キャラクター等」と記載することがある。）が複数種設定されている場合、子供Ｃがいつくかの種類の絵を描かない（描けない）ことが想定される。絵本編集装置１は、手描きの絵を使用可能なキャラクター等について、基準画像（デフォルト画像）を準備しており、ユーザＵは、子供Ｃが絵を描かないキャラクター等についてはデフォルト画像を使用できる。例えば、図４に示すように、チェックボックスＢ６にチェックを入れることで、デフォルト画像を使用できる。デフォルト画像は、例えばプロ作家が描いた絵である。
【００２４】
図４に示すように、手描き画像をアップロードしたか、又はデフォルト画像の使用を選択したキャラクター等については、ステータスが“登録済”となる。全てのキャラクター等について“登録済”となると、確定ボタンＢ７が活性化する。確定ボタンＢ７を押すと、ユーザは、発注する絵本の冊数を選択し、料金の支払い方法を選択し、配送先住所などを登録して、絵本の注文を完了する。
【００２５】
絵本編集装置１は、ユーザＵが選択した絵本作品のテンプレートデータと、ユーザ端末２から受信した手描き画像とを用いて絵本データを生成する。テンプレートデータは、背景画像、キャラクター等の位置情報及びデフォルト画像を含む。
【００２６】
例えば、位置情報は、図５に示すように、背景画像ＢＧにおけるキャラクター等の合成位置Ｐを示す。
【００２７】
絵本編集装置１は、ユーザ端末２から受信した手描き画像から手描きした絵の部分を抽出し、位置情報に基づいて背景画像と合成する。絵本編集装置１は、必要に応じて合成する手描き画像のサイズを調整する。例えば、図６に示すように、背景画像ＢＧの位置情報が示す位置に手描き画像ＨＧが合成される。
【００２８】
合成位置Ｐに合成されるキャラクター等についてデフォルト画像の使用が選択されている場合、絵本編集装置１は、図７に示すように、背景画像ＢＧにデフォルト画像ＤＧを合成する。
【００２９】
絵本編集装置１は、背景画像に手描き画像やデフォルト画像を合成した合成画像を含む絵本データを生成すると、絵本データ及び注文内容を工場３へ転送する。工場３に設置されたプリンタ及び製本機は、受信した絵本データ及び注文内容に基づいて印刷・製本処理を行い、絵本４を製造する。例えば、プリンタは、絵本データに含まれる合成画像を用紙に印刷する。製本機は、合成画像が印刷された用紙を綴じて製本し、絵本４を製造する。工場３で製造された絵本４は、ユーザＵの元へ配送される。
【００３０】
このように、本実施形態によれば、手描きの絵を用いたオリジナルの絵本を作製できる。また、ユーザＵ（子供Ｃ）側で絵を描かないキャラクター等についてはデフォルト画像を使用できるため、絵本注文の負荷を軽減できる。
【００３１】
次に、絵本編集装置１の構成について説明する。絵本編集装置１は、作品選択画面を生成してユーザ端末２へ送信し、ユーザ端末２から絵本作品の選択を含むオリジナル絵本の注文を受け付け、ユーザ端末２から受信した手描き画像と、選択された絵本作品のテンプレートデータとを用いて絵本データを生成するものである。
【００３２】
図８に示すように、絵本編集装置１は、制御部１０、記憶部１２、及び通信部１４を備えたサーバ装置である。制御部１０は、中央処理装置（ＣＰＵ）、ＲＯＭ、ＲＡＭ等からなり、サーバ装置の全体を制御する。制御部１０は、記憶部１２に記憶されているオペレーティングシステム（ＯＳ）やアプリケーションプログラムを読み出して実行することにより、各種機能を実現する。
【００３３】
記憶部１２は、制御部１０が各種の処理を実行するために必要なプログラムやデータ等を記憶するための記憶領域であり、ハードディスクや半導体メモリ等が用いられる。記憶部１２は、絵本作品のテンプレートデータを格納する。
【００３４】
テンプレートデータは、各絵本作品の背景画像、手描き画像が使用可能なキャラクター等の背景画像内での位置を示す位置情報、及びこのキャラクター等のデフォルト画像を含む。背景画像とデフォルト画像とは別ファイルになっていてもよいし、同一ファイルの別レイヤであってもよい。
【００３５】
制御部１０は、注文処理部１００、検索処理部１０２、手描き画像取得部１０４、合成部１０６及び転送部１０８の機能を有する。
【００３６】
注文処理部１００は、通信部１４を介して、ユーザ端末２から絵本作品の選択や、プリント冊数等の注文を受け付ける。注文処理部１００が、絵本配送先の住所などを登録し、必要に応じて決済処理を行うと、絵本の注文が完了する。注文処理部１００は、注文番号や、絵本配送先の住所等のユーザ情報を含む注文情報を記憶部１２に格納する。
【００３７】
検索処理部１０２は、ユーザ端末２からの要求に応じて、図３に示すような検索画面を生成し、ユーザ端末２へ送信する。検索処理部１０２は、検索画面で選択された種別の手描き絵を使用する絵本作品を検索し、検索結果をユーザ端末２へ送信する。
【００３８】
手描き画像取得部１０４は、ユーザ端末２から手描き画像を取得する。例えば、手描き画像は、絵が描かれた用紙５をユーザ端末２の内蔵カメラで撮影したものである。用紙５に描かれた絵をスキャナで取り込んだものでもよい。取得した手描き画像は記憶部１２に格納される。
【００３９】
合成部１０６は、手描き画像を、背景画像の位置情報で示された位置に合成し、絵本データを生成する。例えば、手描き画像は、白色の用紙５に描かれた絵を撮影した画像であり、合成部１０６は、白色の背景部分からユーザＵ（子供Ｃ）が描いたキャラクター等を抽出し、抽出した画像を背景画像に合成する。
【００４０】
転送部１０８は、絵本データ及び注文情報を工場３へ転送する。
【００４１】
次に、図９に示すフローチャートを用いて、本実施形態に係る絵本製造方法を説明する。
【００４２】
まず、ユーザＵは、ユーザ端末２を操作して、オリジナル絵本注文サイトにアクセスし、絵本作品を選択する（ステップＳ１）。ユーザＵは、選択した作品について手描きの絵を使用可能なキャラクター等の絵を準備する。例えば、子供Ｃに絵を描くよう促す。
【００４３】
ユーザＵは、用紙５に描かれた絵をユーザ端末２のカメラで撮影し、手書き画像を絵本編集装置１へアップロードする（ステップＳ２）。
【００４４】
手描きの絵が使用可能なキャラクター等の全てについて手描き画像をアップロードした場合（ステップＳ３＿Ｎｏ）、絵本編集装置１は、手書き画像と背景画像とを合成して絵本データを生成する（ステップＳ４）。
【００４５】
手描きの絵が準備できないキャラクター等がある場合は、デフォルト画像の使用を選択する（ステップＳ３＿Ｙｅｓ）。この場合、絵本編集装置１は、手書き画像及びデフォルト画像と背景画像とを合成して合成画像を生成し、合成画像を含む絵本データを生成する（ステップＳ５）。
【００４６】
絵本編集装置１は、生成した絵本データと、注文情報とを工場３へ転送する（ステップＳ６）。工場３に設置されたプリンタ及び製本機で印刷・製本処理を行い、絵本４を製造する（ステップＳ７）。
【００４７】
このように、本実施形態によれば、手描きの絵を用いたオリジナルの絵本を簡単に製造できる。
【００４８】
上記実施形態では、ユーザ端末２が手描き画像を絵本編集装置１へ送信する例について説明したが、絵を描いた用紙をサービス提供者へ郵送で送付してもよい。サービス提供者は、送付された用紙の絵をデジタルカメラで撮影するか、又はスキャナで取り込んで、手描き画像を生成する。手描き画像取得１０４は、生成された手描き画像を取得する。
【００４９】
手描きの絵だけでなく、手書き文字を含んでいてもよい。
【００５０】
手描き画像から別の画像を生成してもよい。例えば、大鍋に入ったシチューの手描き画像からシチュー部分を抽出し、抽出したシチュー部分と皿の画像とを合成して、皿に入ったシチューの画像を生成してもよい。これにより、手描きしたような皿に入ったシチューの絵が得られ、絵本に使用できる。
【００５１】
絵本４に所定のウェブサイトのＵＲＬを示す二次元コードを印字してもよい。絵本４を受け取ったユーザが、二次元コードをユーザ端末２で読み取りウェブサイトにアクセスすると、音声や効果音が出力される。また、公知のＡＲ技術を用いて、手描きしたキャラクターがユーザ端末２の画面上で動くように表示してもよい。
【００５２】
絵本編集装置１は、絵本作品選択前にユーザ端末２から手描き画像を受信し、手描き画像を解析し、この手描き画像に好適な絵本作品を検索・抽出して、ユーザ端末２に通知してもよい。例えば、手描き画像を解析した結果、車の絵であると判定された場合、車の絵を使用する絵本を検索する。また、手描き画像の絵が、色鉛筆、クレヨン、絵の具等のうちいずれで描かれたものか解析し、手描き絵と合成して違和感のない絵本作品を抽出してユーザ端末２に通知してもよい。
【００５３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５４】
１  絵本編集装置
２  ユーザ端末
３  工場
４  絵本
５  用紙
１０  制御部
１２  記憶部
１４  通信部
１００  注文処理部
１０２  検索処理部
１０４  手描き画像取得部
１０６  合成部
１０８  転送部
【図１】
2020144598.tif 000003
【図２】
2020144598.tif 000004
【図３】
2020144598.tif 000005
【図４】
2020144598.tif 000006
【図５】
2020144598.tif 000007
【図６】
2020144598.tif 000008
【図７】
2020144598.tif 000009
【図８】
2020144598.tif 000010
【図９】
2020144598.tif 000011